(57)【要約】【課題】建物の床等の基体表面に溜っている雨水が、開口部から階下に流下するのを確実に阻止することができ、しかも止水部材が不要になった場合には、簡単に撤去することができるようにする。【解決手段】止水部材４を、非加硫ブチルゴム製の本体２を用いて、開口部６周縁の基体５上に貼着固定する。非加硫ブチルゴムは、鳥もち状をなしているので、止水部材４と基体５との間を、確実に止水することができる。本体２裏面側には、予め被覆材３を配置しておく。そして、本体２を基体５から剥がす際には、被覆材３を把持し本体２の裏面側に力を加えて剥がすようにする。これにより、基体５表面に残存する非加硫ブチルゴムの残量を、大幅に少なくすることができる。【選択図】図１
2006241811.tif 000002
【特許請求の範囲】
【請求項１】
建物の床等の基体に設けられている開口部の周縁位置に、止水部材を仮固定し、この止水部材により基体表面に溜った雨水が開口部から流下しないようにした開口部の止水装置であって、表面側に止水部材が貼着固定される非加硫ブチルゴム製の帯状をなす本体と；本体の裏面側に配置され、本体裏面の一部に長手方向に連続する連続貼着止水部を残して他の部分を被覆する被覆材と；を備え、被覆材は、止水部材を撤去する際に本体剥がし材として用いられることを特徴とする開口部の止水装置。
【請求項２】
被覆材は、本体の幅方向中央部に配置され、本体の幅方向両端部が連続貼着止水部として機能することを特徴とする請求項１記載の開口部の止水装置。
【請求項３】
被覆材は、本体の幅方向両端部にそれぞれ配置され、本体の幅方向中間部が、連続貼着止水部として機能することを特徴とする請求項１記載の開口部の止水装置。
【請求項４】
被覆材は、本体の幅方向いずれか一端側に配置され、本体の幅方向いずれか他端側が、連続貼着止水部として機能することを特徴とする請求項１記載の開口部の止水装置。
【請求項５】
被覆材は、目の細かい被覆網材部と目の粗い露出網材部とで形成され、本体の露出網材部に対応する部分が、連続貼着止水部として機能することを特徴とする請求項１記載の開口部の止水装置。
【発明の詳細な説明】
【技術分野】
【０００１】
本発明は、建物の床等の基体に設けられている開口部の止水装置に係り、特に確実な止水効果が得られ、しかも撤去が容易な開口部の止水装置に関する。
【背景技術】
【０００２】
一般に、建物の床等の基体には、建築工事用の資材の搬入・搬出のために開口部を設け、この開口部を通して作業を行なうのが通例である。
【０００３】
ところで、建築途中の建物の場合には、周囲の壁面が完成していなかったり、壁面は完成していても、壁面開口部に窓等が装着されていない期間があり、この状態で雨が降ったりすると、床面上に溜った雨水が、前記開口部から階下に流下し、階下での作業を中止したり縮小せざるを得ないと云う問題がある。
【０００４】
そこで従来は、例えば特開平６−３０６９９０号公報に示されているように、基体に設けられている開口部の周縁に立上がり部を設け、この立上がり部によって開口部の止水を行なうようにしている。
【特許文献１】特開平６−３０６９９０号公報
【発明の開示】
【発明が解決しようとする課題】
【０００５】
前記従来の開口部の止水装置においては、開口部の周縁に立上がり部が設けられているため、完全な止水効果は得られるが、立上がり部が不要となった際の撤去作業が容易でなく、建築工事の長期化を招いているとともに、コスト高を招くと云う問題がある。
【０００６】
そこで一部では、開口部の周縁に止水部材を接着剤を用いて接着固定する試みがなされているが、接着剤の場合には、凹凸がある床表面と止水部材とを密着させることができず、完全な止水効果が得られないとともに、止水部材の撤去作業が必ずしも容易でないと云う問題もある。
【０００７】
本発明は、かかる現況に鑑みなされたもので、確実な止水効果が得られるとともに、止水部材の撤去も容易な開口部の止水装置を提供することを目的とする。
【０００８】
本発明の他の目的は、本体の幅一端側の連続貼着止水部が、何等かの理由で損傷しても、幅方向他端側の連続貼着止水部で止水を行なうことができる開口部の止水装置を提供するにある。
【０００９】
本発明の他の目的は、止水部材を撤去した後に基体表面に残存している非加硫ブチルゴムの除去作業が容易な開口部の止水装置を提供するにある。
【００１０】
本発明の他の目的は、止水部材の撤去作業を簡素化することができる開口部の止水装置を提供するにある。
【００１１】
本発明のさらに他の目的は、止水部材を撤去する際に、本体の裏面側全域に力を加えて本体を基体から剥がすことができる開口部の止水装置を提供するにある。
【課題を解決するための手段】
【００１２】
前記目的を達成するため本発明は、建物の床等の基体に設けられている開口部の周縁位置に、止水部材を仮固定し、この止水部材により基体表面に溜った雨水が開口部から流下しないようにした開口部の止水装置であって、表面側に止水部材が貼着固定される非加硫ブチルゴム製の帯状をなす本体と；本体の裏面側に配置され、本体裏面の一部に長手方向に連続する連続貼着止水部を残して他の部分を被覆する被覆材と；を設け、被覆材を、止水部材を撤去する際の本体剥がし材として用いるようにしたことを特徴とする。
【００１３】
本発明はまた、被覆材を、本体の幅方向中央部に配置し、本体の幅方向両端部を、連続貼着止水部として機能させるようにしたことを特徴とする。
【００１４】
本発明はまた、被覆材を、本体の幅方向両端部にそれぞれ配置し、本体の幅方向中間部を、連続貼着止水部として機能させるようにしたことを特徴とする。
【００１５】
本発明はまた、被覆材を、本体の幅方向いずれか一端側に配置し、本体の幅方向いずれか他端側を、連続貼着止水部として機能させるようにしたことを特徴とする。
【００１６】
本発明はさらに、被覆材を、目の細かい被覆網材部と目の粗い露出網材部とで形成し、本体の露出網材部に対応する部分を、連続貼着止水部として機能させるようにしたことを特徴とする。
【発明の効果】
【００１７】
本発明は、建物の床等の基体に設けられている開口部の周縁位置に、止水部材を仮固定し、この止水部材により基体表面に溜った雨水が開口部から流下しないようにした開口部の止水装置であって、表面側に止水部材が貼着固定される非加硫ブチルゴム製の帯状をなす本体と；本体の裏面側に配置され、本体裏面の一部に長手方向に連続する連続貼着止水部を残して他の部分を被覆する被覆材と；を設け、被覆材を、止水部材を撤去する際の本体剥がし材として用いるようにしているので、本体を表面側から加圧することにより、鳥もち状の本体が基体表面の凹凸形状に倣って簡単に変形し、連続貼着止水部が、自己の有する粘着力によって、基体表面に隙間なく密着固定される。このため、接着剤の場合と異なり、確実な止水効果を得ることができる。
【００１８】
ところで、非加硫ブチルゴム製の本体は、前述のように鳥もち状をなしているので、止水部材を撤去する際には、通常であれば、本体が基体表面に多量に残ってしまって、その処理が容易でないが、本発明の場合には、本体の裏面側に被覆材が配されているので、この被覆材を把持して、本体を基体から剥がすようにすれば、基体表面に本体の一部が残る量を極端に少なくすることができる。このため、その後処理が容易で、結果として止水部材の撤去作業時間を、大幅に短縮することができる。
【００１９】
本発明はまた、被覆材を、本体の幅方向中央部に配置し、本体の幅方向両端部を、連続貼着止水部として機能させるようにしているので、本体の幅方向一端側の連続貼着止水部が、何等かの理由で損傷しても、幅方向他端側の連続貼着止水部で止水を行なうことができ、充分に安定した止水効果を得ることができる。
【００２０】
本発明はまた、被覆材を、本体の幅方向両端部にそれぞれ配置し、本体の幅方向中間部を、連続貼着止水部として機能させるようにしているので、止水部材を撤去した後に基体表面に残存する非加硫ブチルゴムの残存量を減少させて、その除去作業を容易なものとすることができる。
【００２１】
本発明はまた、被覆材を、本体の幅方向いずれか一端側に配置し、本体の幅方向いずれか他端側を、連続貼着止水部として機能させるようにしているので、止水部材を撤去する際に、通常は本体を長手方向一端側から他端側に向かって剥がしていくことになるが、これを幅方向に剥がすことも可能となり、撤去作業を簡素化することができる。
【００２２】
本発明はさらに、被覆材を、目の細かい被覆網材部と目の粗い露出網材部とで形成し、本体の露出網材部に対応する部分を、連続貼着止水部として機能させるようにしているので、止水部材を撤去する際に、本体の裏面側全域に力を加えて本体を基体から剥がすことが可能となり、結果として、基体上に残存する非加硫ブチルゴムの量を少なくすることができる。このため、非加硫ブチルゴムの除去作業が容易である。
【発明を実施するための最良の形態】
【００２３】
以下、本発明を図面を参照して説明する。
図１は、本発明の第１の実施の形態に係る開口部の止水装置を示すもので、この止水装置１は、非加硫ブチルゴム製の帯状をなす本体２と、本体２の裏面側中央部に配置される被覆材３と、本体２の表面側に貼着固定される止水部材４とを備えている。そして、この止水装置１は、図１に示すように、建物の床等の基体５に設けられている開口部６の周縁位置に、本体２が有する粘着力を利用して仮固定されるようになっている。
【００２４】
すなわち、前記本体２は、図２に示すように、鳥もち状をなす非加硫ブチルゴムを用いて所定厚の帯状に形成されており、その裏面側中央部には、薄板帯状をなすプラスチック板あるいはプラスチックフィルム等で形成される帯状の被覆材３が、本体２が有する粘着力によって貼着固定されている。そしてこれにより、図３および図４に示すように、被覆材３の両側位置に、長手方向に連続する連続貼着止水部７がそれぞれ形成され、これら両連続貼着止水部７が基体５表面に貼着固定されて、基体５との間の止水を行なうようになっている。
【００２５】
なお、前記本体２の表面側および裏面側は、図２に示すように、使用前においては表面側剥離紙８および裏面側剥離紙９によって被覆されており、本体２を基体５上に貼着する際には、図３および図４に示すように、裏面側剥離紙９のみを除去して本体２を基体５上に押付けることにより、被覆材３が本体２内に埋め込まれた状態で、両連続貼着止水部７が基体５表面に貼着固定されるようになっている。そしてその後、表面側剥離紙８を除去して、止水部材４を本体２上に押付けることにより、図１に示すように、止水部材４が本体２の表面側に貼着固定されるようになっている。
【００２６】
図５（ａ）〜図５（ｄ）は、止水装置１による止水作業を手順に従って順次示すもので、以下、図５（ａ）〜図５（ｄ）を参照して、本実施の形態の作用を説明する。
【００２７】
開口部６の止水に際しては、まず図５（ａ）に示すように、裏面側剥離紙８を除去して、本体２の裏面側を露出させた後、この本体２を、図５（ｂ）に示すように、基体５表面に押付ける。すると、被覆材３が本体２内に埋め込まれた状態で、両連続貼着止水部７が基体５表面に貼着固定される。
【００２８】
ところで、基体５の表面は、必ずしも平坦面ではなく、凹凸が形成されているのが通例であるが、本体２は非加硫ブチルゴムで形成されていて鳥もち状をなしているので、本体２を基体５上に押付けて貼着することにより、両連続貼着止水部７が、基体５表面の凹凸形状に倣って変形し、完全な密着状態が確保される。このため、接着剤の場合と異なり、基体５との間を完全に止水することができる。
【００２９】
このようにして、本体２を基体５の表面に貼着固定したならば、図５（ｂ）に示す表面側剥離紙８を除去して、本体２の表面側を露出させた後、図５（ｃ）に示すように、本体２表面に止水部材４を貼着固定する。これにより、図１に示すように、開口部６の周縁位置に止水堰が形成され、基体５上に溜った雨水が開口部６から階下に流下するのを完全に防止することができる。
【００３０】
所定の建築作業が進行して、止水装置１が不要になったならば、止水装置１を撤去する必要がある。
ところで、被覆材３がない場合には、止水部材４を把持して、止水部材４と本体２とを撤去することになる。ここで、本体２と止水部材４との間は、本体２が有する粘着力のみの接着強度であるが、本体２と基体５との間は、本体２の粘着力とイオン結合による接着力とを合わせた接着強度となるため、止水部材４を把持して撤去しようとすると、止水部材４のみが剥がれて、本体２はそのまま基体５上に残ってしまうことになる。
【００３１】
本体２のほぼ全部が基体５上に残った場合には、けれん棒等を用いて剥ぎ取らなければならず、その作業が容易でないが、本実施の形態においては、本体２の裏面側に被覆材３が存在しているので、図５（ｄ）に示すように、被覆材３を把持して本体２の裏面側から力を加え、本体２を止水部材４とともに基体５から撤去除去する。そして、本体２の裏面側から力を加えて剥がすようにすることにより、本体２の基体５との接着面積が小さいことと相俟って、本体２の殆ど全量を、基体５から除去することができる。
【００３２】
なお、この場合でも、本体２の各連続貼着止水部７に対応する部分の一部は、基体５上に残ってしまうことになるが、その量は本体２の全体から見れば僅であるので、ベンゼン等の溶剤を用いて拭き取ることにより、簡単かつ完全に除去することができる。
【００３３】
しかして、被覆材３を本体２の剥がし材として用いるようにしているので、止水装置１を撤去する際の作業を大幅に簡素化でき、しかも接着剤の場合と異なり、完全な止水効果を得ることができる。
【００３４】
図６は、本発明の第２の実施の形態を示すもので、前記第１の実施の形態と異なり、被覆材３を、本体２裏面の幅方向両側にそれぞれ配置し、本体２裏面の中央部分を、連続貼着止水部７として機能させるようにしたものである。
なお、その他の点については、前記第１の実施の形態と同一構成となっており、作用も同一である。
【００３５】
しかして、図６に示すように構成することにより、本体２の基体５への貼着固定面積を小さくすることができ、その分止水装置１を撤去する際の作業を、さらに簡素化することができる。
【００３６】
図７は、本発明の第３の実施の形態を示すもので、前記第１の実施の形態と異なり、被覆材３を、本体２裏面の幅方向一端側に寄せて配置し、本体２裏面の幅方向他端側を、連続貼着止水部７として機能させるようにしたものである。
なお、その他の点については、前記第１の実施の形態と同一構成となっており、作用も同一である。
【００３７】
しかして、図７に示すように構成することにより、本体２を基体５から剥がす際に、本体２を長手方向に剥がすことも、元より可能であるが、本体２を図７の左端側から右端側に向かって幅方向に剥がすことも可能となり、現場の状況に合わせて選択することができる。このため、止水装置１の撤去作業をさらに容易なものとすることができる。
【００３８】
図８および図９は、本発明の第４の実施の形態を示すもので、前記第１の実施の形態における被覆材３に代え、被覆材１３を用いるようにしたものである。
【００３９】
すなわち、前記被覆材１３は、図８および図９に示すように、中央部の目の細かい被覆網材部１３ａと、両側の目の粗い露出網材部１３ｂとで形成されており、本体２の各露出網材部１３ｂに対応する部分が、連続貼着止水部７（図３参照）として機能するようになっている。
【００４０】
なお、目が粗いとは云え、露出網材部１３ｂが存在するので、本体２を基体５に貼着した際に、本体２が網材で切断されて長手方向に連続しないように思われるが、本体２を基体５に押付けると、露出網材部１３ｂが本体２内に埋め込まれた状態になった際に、一旦網材で切断された本体２の裏面が、再び相互に密着して一体化され、長手方向に連続する貼着面が形成されることになる。このため、本体２の裏面の一部を完全に露出させている場合と同様の止水効果が得られる。
【００４１】
しかして、被覆材１３を用いた場合にも、被覆材３と同様の止水効果を得ることができ、しかも被覆材１３の場合には、本体２を基体５から剥がす際に、本体２裏面の全域に力を加えることができるので、剥がした後に基体５の表面に残存する本体２の残量を、より少なくすることができる。このため、後処理をより容易なものとして、全体の作業時間を短縮することができる。
【産業上の利用可能性】
【００４２】
以上のように、本発明に係る開口部の止水装置は、非加硫ブチルゴムを用いて確実な止水効果が得られるようにした止水装置として有用であり、特に不要となった際の撤去が容易な止水装置として適している。
【図面の簡単な説明】
【００４３】
【図１】本発明の第１の実施の形態に係る開口部の止水装置を示す説明図である。
【図２】本体の使用前の状態を示す説明図である。
【図３】本体裏面側剥離紙を剥離して本体を基体に貼着できるようにした状態を示す説明図である。
【図４】本体を基体の表面に貼着固定した状態を示す説明図である。
【図５】（ａ）〜（ｄ）は、止水装置を用いた止水作業およびその撤去作業を手順に従って順次示す説明図である。
【図６】本発明の第２の実施の形態を示す図２相当図である。
【図７】本発明の第３の実施の形態を示す図２相当図である。
【図８】本発明の第４の実施の形態を示す図２相当図である。
【図９】図８の被覆材の構成を示す説明図である。
【符号の説明】
【００４４】
１  止水装置
２  本体
３，１３  被覆材
４  止水部材
５  基体
６  開口部
７  連続貼着止水部
８  表面側剥離紙
９  裏面側剥離紙
１３ａ  被覆網材部
１３ｂ  露出網材部
【図１】
2006241811.tif 000003
【図２】
2006241811.tif 000004
【図３】
2006241811.tif 000005
【図４】
2006241811.tif 000006
【図５】
2006241811.tif 000007
【図６】
2006241811.tif 000008
【図７】
2006241811.tif 000009
【図８】
2006241811.tif 000010
【図９】
2006241811.tif 000011
【手続補正書】
【提出日】平成18年5月20日(2006.5.20)
【手続補正１】
【補正対象書類名】特許請求の範囲
【補正対象項目名】請求項１
【補正方法】変更
【補正の内容】
【請求項１】
少なくとも表面をコンクリートで形成した建物の床等の基体に設けられている開口部の周縁位置に、止水部材を仮固定し、この止水部材により基体表面に溜った雨水が開口部から流下しないようにした開口部の止水装置であって、表面側に止水部材が貼着固定される非加硫ブチルゴム製の帯状をなす本体と；本体の裏面側に配置され、本体裏面の一部に長手方向に連続する連続貼着止水部を残して他の部分を被覆する被覆材と；を備え、被覆材は、止水部材を撤去する際に本体剥がし材として用いられることを特徴とする開口部の止水装置。
【手続補正２】
【補正対象書類名】明細書
【補正対象項目名】００１２
【補正方法】変更
【補正の内容】
【００１２】
前記目的を達成するため本発明は、少なくとも表面をコンクリートで形成した建物の床等の基体に設けられている開口部の周縁位置に、止水部材を仮固定し、この止水部材により基体表面に溜った雨水が開口部から流下しないようにした開口部の止水装置であって、表面側に止水部材が貼着固定される非加硫ブチルゴム製の帯状をなす本体と；本体の裏面側に配置され、本体裏面の一部に長手方向に連続する連続貼着止水部を残して他の部分を被覆する被覆材と；を設け、被覆材を、止水部材を撤去する際の本体剥がし材として用いるようにしたことを特徴とする。
【手続補正３】
【補正対象書類名】明細書
【補正対象項目名】００１７
【補正方法】変更
【補正の内容】
【００１７】
本発明は、少なくとも表面をコンクリートで形成した建物の床等の基体に設けられている開口部の周縁位置に、止水部材を仮固定し、この止水部材により基体表面に溜った雨水が開口部から流下しないようにした開口部の止水装置であって、表面側に止水部材が貼着固定される非加硫ブチルゴム製の帯状をなす本体と；本体の裏面側に配置され、本体裏面の一部に長手方向に連続する連続貼着止水部を残して他の部分を被覆する被覆材と；を設け、被覆材を、止水部材を撤去する際の本体剥がし材として用いるようにしているので、本体を表面側から加圧することにより、鳥もち状の本体が基体表面の凹凸形状に倣って簡単に変形し、連続貼着止水部が、自己の有する粘着力によって、基体表面に隙間なく密着固定される。このため、接着剤の場合と異なり、確実な止水効果を得ることができる。
【手続補正４】
【補正対象書類名】明細書
【補正対象項目名】００２３
【補正方法】変更
【補正の内容】
【００２３】
以下、本発明を図面を参照して説明する。
図１は、本発明の第１の実施の形態に係る開口部の止水装置を示すもので、この止水装置１は、非加硫ブチルゴム製の帯状をなす本体２と、本体２の裏面側中央部に配置される被覆材３と、本体２の表面側に貼着固定される止水部材４とを備えている。そして、この止水装置１は、図１に示すように、少なくとも表面をコンクリートで形成した建物の床等の基体５に設けられている開口部６の周縁位置に、本体２が有する粘着力を利用して仮固定されるようになっている。